(57)【要約】      （修正有）【課題】テザーベルトの締め付け検出システム及びこの検出システムを有するチャイルドカーシートを提供する。【解決手段】チャイルドカーシートは、シート１及びテザーベルト２を備え、シートの背部にはテザーベルトの装着溝１０を有し、テザーベルトの端部２１は、テザーベルトの装着溝内に設置され、チャイルドカーシートは、テザーベルトの締め付け検出システムをさらに備え、テザーベルトの締め付け検出システムは、トリガーアセンブリー３１と通信アセンブリーを備え、トリガーアセンブリーは、テザーベルトの装着溝内に設置されて、テザーベルトの端部と協働して、テザーベルトが締め付けられる時、トリガーアセンブリーは、テザーベルトの作用を受けて信号を発生し、通信アセンブリーは、トリガーアセンブリーの信号に接続されて、トリガーアセンブリーの信号を一つのモバイルデバイスに送信する。本考案は、チャイルドカーシートの使用時の安全性能を向上させる。【選択図】図１
0003218277.tif 000002
【実用新案登録請求の範囲】
【請求項１】
チャイルドカーシートのテザーベルトが締め付けられているかどうかを検出するためのテザーベルトの締め付け検出システムであって、
テザーベルトとチャイルドカーシートとの接続部分に取り付けられ、前記テザーベルトが締め付けられた時、前記テザーベルトの作用を受けて信号を発生するトリガーアセンブリーと、
前記トリガーアセンブリーの信号に接続され、前記トリガーアセンブリーの信号を一つのモバイルデバイスに送信する通信アセンブリーと、を備え、
前記トリガーアセンブリーは、圧力センサー及びトリガーを備え、前記圧力センサー及び前記トリガーは、チャイルドカーシートの背部に設置され、前記テザーベルトが締め付けられる時、前記トリガーが前記圧力センサーを押圧して，前記圧力センサーが信号を送信するようにテザーベルトの端部と前記トリガーとが接続されるテザーベルトの締め付け検出システム。
【請求項２】
前記トリガーは日字状のバックルであり、前記テザーベルトの端部は長さ調節が可能なように前記トリガーに接続されることを特徴とする請求項１に記載のテザーベルトの締め付け検出システム。
【請求項３】
前記テザーベルトの締め付け検出システムは、前記通信アセンブリーの信号に接続される一つのモバイルデバイスをさらに備え、前記モバイルデバイスは、ディスプレイモジュールを備え、前記モバイルデバイスは、受信された前記通信アセンブリーの信号に基づいて、前記ディスプレイモジュールに対応する情報を表示することを特徴とする請求項１または２に記載のテザーベルトの締め付け検出システム。
【請求項４】
シート及びテザーベルトを備えるチャイルドカーシートであって、
前記シートの背部にはテザーベルトの装着溝を有し、前記テザーベルトの端部はテザーベルトの装着溝内に設置され、前記チャイルドカーシートは、テザーベルトの締め付け検出システムをさらに備え、前記テザーベルトの締め付け検出システムは、トリガーアセンブリーと通信アセンブリーを備え、前記トリガーアセンブリーは、前記テザーベルトの装着溝内に設置されて、前記テザーベルトの端部と協働し、前記テザーベルトが締め付けられる時、前記トリガーアセンブリーは、前記テザーベルトの作用を受けて信号を発生し、前記通信アセンブリーは、トリガーアセンブリーの信号に接続されて、前記トリガーアセンブリーの信号を一つのモバイルデバイスに送信し、前記トリガーアセンブリーは、圧力センサー及びトリガーを備え，前記トリガーは、テザーベルトの装着溝内に移動可能に設置され、前記テザーベルトの端部は、前記テザーベルトの装着溝の開口を通って前記トリガーに接続され、前記圧力センサーは、前記テザーベルトの装着溝の内壁に設置されて、前記テザーベルトが締め付けられる時、前記トリガーが前記圧力センサーに当接されるようにするチャイルドカーシート。
【請求項５】
前記トリガーは日字状のバックルであり、前記テザーベルトの端部は長さ調節が可能なように前記トリガーに接続されることを特徴とする請求項４に記載のチャイルドカーシート。
【請求項６】
前記トリガーアセンブリーは、二つの圧力センサーを備え、前記二つの圧力センサーは、前記テザーベルトの装着溝の内壁に対称的に設置されることを特徴とする請求項５に記載のチャイルドカーシート。
【請求項７】
前記シートの背部は、二つの離隔して設置された前記テザーベルトの装着溝を備え、前記テザーベルトの両端部は、それぞれ前記二つのテザーベルトの装着溝に設置され、各前記テザーベルトの装着溝内には、一つのトリガーアセンブリーと一つの前記通信アセンブリーが設置されていることを特徴とする請求項４〜６のいずれか一項に記載のチャイルドカーシート。
【請求項８】
前記テザーベルトの締め付け検出システムは、一つのモバイルデバイスをさらに備え、前記モバイルデバイスは、前記通信アセンブリーの信号に接続され、前記モバイルデバイスは、ディスプレイモジュールを備え、前記モバイルデバイスは、受信された前記通信アセンブリーの信号に基づいて、前記ディスプレイモジュールに対応する情報を表示することを特徴とする請求項４〜６のいずれか一項に記載のチャイルドカーシート。
【考案の詳細な説明】
【技術分野】
【０００１】
本考案は、チャイルドカーシート分野に関し、特にテザーベルトの締め付け検出システム及びこの検出システムを有するチャイルドカーシートに関する。
【背景技術】
【０００２】
既存のチャイルドカーシートは、ＩＳＯＦＩＸブラケットとＬＡＴＣＨブラケットを介して自動車のシートに固定される。ＬＡＴＣＨブラケットはセーフティシートのテザーベルトに接続されて、セーフティシートの上部に対して固定の作用をする。実際の装着プロセスでは、ユーザーのテザーベルトが締め付けられたかどうかを提示できるデバイスまたは装置がないので、操作者はテザーベルトが締め付けられたかどうかを発現することは困難であり、テザーベルトが締め付けられていないと、車両に衝突が発生した時、セーフティシートは揺れが発生しやすくて、セーフティシート上の子供がけがをするようになる。
【考案の概要】
【考案が解決しようとする課題】
【０００３】
本考案は、従来技術の欠点を克服するために、チャイルドカーシートのテザーベルトが締め付けられたかどうかを検出するためのテザーベルトの締め付け検出システムを提供することを目的とする。
【０００４】
本考案は、テザーベルトの締め付け検出システムを備えたチャイルドカーシートを提供することをもう一つの目的とする。
【課題を解決するための手段】
【０００５】
本考案の目的の一つは、以下の技術的手段によって達成される。
テザーベルトの締め付け検出システムであって、
テザーベルトとチャイルドカーシートとの接続部分に取り付けられ、前記テザーベルトが締め付けられた時、前記テザーベルトの作用を受けて信号を発生するトリガーアセンブリーと、及び
前記トリガーアセンブリーの信号に接続され、前記トリガーアセンブリーの信号を一つのモバイルデバイスに送信する通信アセンブリーと、を備える。
【０００６】
さらに、前記トリガーアセンブリーは、圧力センサー及びトリガーを備え、前記圧力センサー及び前記トリガーは、チャイルドカーシートの背部に設置され、前記テザーベルトが締め付けられる時、前記トリガーが前記圧力センサーを押圧して、前記圧力センサーが信号を発送するようにテザーベルトの端部と前記トリガーとが接続される。
【０００７】
さらに、前記トリガーは日字状のバックルであり、前記テザーベルトの端部は長さ調節が可能なように前記トリガーに接続される。
【０００８】
さらに、前記テザーベルトの締め付け検出システムは、前記通信アセンブリーの信号に接続される一つのモバイルデバイスをさらに備え、前記モバイルデバイスは、ディスプレイモジュールを備え、前記モバイルデバイスは、受信された前記通信アセンブリーの信号に基づいて、前記ディスプレイモジュールに対応する情報を表示する。
【０００９】
本考案の目的のもう一つは、以下の技術的手段によって達成される。
チャイルドカーシートは、シートとテザーベルトとを備え、前記シートの背部はテザーベルトの装着溝を有し、前記テザーベルトの端部はテザーベルトの装着溝に設置され、前記チャイルドカーシートは、テザーベルトの締め付け検出システムをさらに備え、前記テザーベルトの締め付け検出システムは、トリガーアセンブリー及び通信アセンブリーを備え、前記トリガーアセンブリーは、前記テザーベルトの装着溝内に設置されて、前記テザーベルトの端部と協働し、テザーベルトが締め付けられた時、前記トリガーアセンブリーは、前記テザーベルトの作用を受けて信号を発生し、前記通信アセンブリーは、前記トリガーアセンブリーの信号に接続されて、前記トリガーアセンブリーの信号を一つのモバイルデバイスに送信する。
【００１０】
さらに、前記トリガーアセンブリーは、圧力センサーおよびトリガーを備え、前記トリガーは、前記テザーベルトの装着溝に移動可能に設置され、前記テザーベルトの端部は、前記テザーベルトの装着溝の開口を通って前記トリガーに接続され、前記圧力センサーは、前記テザーベルトの装着溝の内壁に設置されて、前記テザーベルトが締め付けられる時、前記トリガーが前記圧力センサーに当接される。
【００１１】
さらに、前記トリガーは日字状のバックルであり、前記テザーベルトの端部は長さ調節が可能なように前記トリガーに接続される。
【００１２】
さらに、前記トリガーアセンブリーは、二つの圧力センサーを備え、前記二つの圧力センサーは、前記テザーベルトの装着溝の内壁に対称的に設置される。
【００１３】
さらに、前記シートの背部は、二つの離隔して設置された前記テザーベルトの装着溝を備え、前記テザーベルトの両端部は、それぞれ前記二つのテザーベルトの装着溝に設置され、各前記テザーベルトの装着溝内には、一つのトリガーアセンブリーと一つの前記通信アセンブリーが設置されている。
【００１４】
さらに、前記テザーベルトの締め付け検出システムは、一つのモバイルデバイスをさらに備え、前記モバイルデバイスは、前記通信アセンブリーの信号に接続され、前記モバイルデバイスは、ディスプレイモジュールを備え、前記モバイルデバイスは、受信された前記通信アセンブリーの信号に基づいて、前記ディスプレイモジュールに対応する情報を表示する。
【００１５】
さらに、前記トリガーは日字状のバックルであり、前記テザーベルトの端部は長さ調節が可能なように前記トリガーアセンブリーに接続される。
【考案の効果】
【００１６】
従来技術と比較して、本考案は以下の利点を有する。
（１）本考案のテザーベルトの締め付け検出システムは、テザーベルトが締め付けられた状態であるか否かをリアルタイムで検出し、検出結果をモバイルデバイスに送信し、モバイルデバイスを介していつでもどこでもモニタリングすることを実現して、チャイルドカーシートの使用時の安全性能を向上させた。
（２）本考案の構造が簡単であり、チャイルドカーシート及びテザーベルトの構造を変更する必要がほとんどなくて、製造コストが大幅に増加しないことを保証できる利点がある。
【図面の簡単な説明】
【００１７】
【図１】本考案の一つの好ましい実施例に係る分解模式図である。
【００１８】
【図２】本考案の一つの好ましい実施例に係る使用模式図である。
【００１９】
【図３】本考案の一つの好ましい実施例に係る断面図である。
【００２０】
【図４】図３の部分拡大図である。
【００２１】
【図５】本考案のモバイルデバイスの一つの好ましい実施例に係る模式図である。
【考案を実施するための形態】
【００２２】
以下、図面と具体的な実施形態に合わせて、本考案を更に説明する。説明すべきことは、お互いに衝突していない前提で、以下説明する複数の実施例や、複数の技術の特徴の間に、ランダムに組み合わせて新しい実施例を形成することができる。
【００２３】
図１〜図４に示すように、本考案のチャイルドカーシートは、シート１と、テザーベルト２と、テザーベルトの締め付け検出システムとを備える。シート１の背部は、テザーベルトの装着溝１０を有し、テザーベルト２の端部２１がテザーベルトの装着溝１０内に設置され、テザーベルトの締め付け検出システムは、テザーベルト２の端部２１が締め付けられているか否かを検出する。
【００２４】
テザーベルトの締め付け検出システムは、トリガーアセンブリー３１（図示なし）と通信アセンブリー（図示なし）を備える。トリガーアセンブリー３１は、テザーベルトの装着溝１０内に設置され、テザーベルトの端部２１と協働して、テザーベルト２が締め付けられる時、トリガーアセンブリー３１は、テザーベルト２の作用を受けて信号を発生する。通信アセンブリーは、トリガーアセンブリー３１の信号を一つのモバイルデバイス4に送信するために、トリガーアセンブリー３１に接続される。
【００２５】
トリガーアセンブリー３１は、圧力センサー３１１及びトリガー３１２を備える。トリガー３１２は、テザーベルトの装着溝１０内に移動可能に設置され、テザーベルトの端部２１はテザーベルトの装着溝１０の開口を通ってトリガー３１２に接続される。トリガー３１２のサイズは、テザーベルトの装着溝１０の開口のサイズより大きくて、テザーベルト２が締め付けられる時、テザーベルト２は、トリガー３１２をテザーベルトの装着溝１０の開口部に当接されるように動かして、テザーベルト２はシート１を固定させる。圧力センサー３１１は、テザーベルトの装着溝１０の開口の近傍の内壁に設置されることで、テザーベルト２を締め付ける時、トリガー３１２が圧力センサー３１１に当接されるようにして、圧力センサー３１１が圧力を受けて信号を発生する。
【００２６】
好ましくは、トリガー３１２は、日字状のバックルであり、テザーベルトの端部２１は長さ調節が可能なようにトリガー３１２に設置される。テザーベルト２が締め付けられていない場合、ユーザーは、テザーベルト２が締め付けられるようにトリガー３１２を用いてテザーベルト２の長さを調節することができる。
【００２７】
通信アセンブリーは、プロセッサー及び無線通信モジュールを備え、プロセッサーは、圧力センサー３１１に接続されて、圧力センサー３１１が発送した信号を受信して処理するようにする。プロセッサーの処理済の情報は、無線通信モジュールを介してモバイルデバイス４に送信される。好ましくは、無線通信モジュールは、ブルートゥース(登録商標)（Ｂｌｕｅｔｏｏｔｈ（登録商標））モジュールである。
【００２８】
モバイルデバイス４は、携帯電話、タブレットコンピュータ（Ｔａｂｌｅｔ ＰＣ）、またはスマートウォッチなどの携帯に便利なスマート電子デバイスであることができる。図５に示すように、モバイルデバイス４は、ディスプレイモジュール４１を備え、ディスプレイモジュール４１は、圧力センサーのデータ及びスマート分析結果をユーザーに表示し、ユーザーが関連操作を行うように助ける。
【００２９】
さらに、トリガーアセンブリー３１は、二つの圧力センサー３１１を含み、二つの圧力センサー３１１は、テザーベルトの装着溝１０の内壁に対称的に設置され、二つの圧力センサー３１１を設置することによって、テザーベルト２の力を受ける方向が正常であるかどうかをリアルタイムで検出することが可能であり、二つの圧力センサー３１１の圧力値の差が大きくなければ、テザーベルト２の力を受ける方向は、基本的にテザーベルト２の方向に沿い、二つの圧力センサー３１１の圧力値が大きい場合には、テザーベルト２は大きなオフセットが発生することがあって、この時、ユーザーは安全を確保するためにテザーベルト２の接続状況を確認する必要がある。
【００３０】
言及する必要があることは、シート１の背部は二つのテザーベルトの装着溝１０を有し、二つのテザーベルトの装着溝１０はシート１の背部の上端に互いに離隔して設置される。テザーベルト２の両端は、それぞれ二つのテザーベルトの装着溝１０内に設置される。各々のテザーベルトの装着溝１０内には、トリガーアセンブリー３１と通信アセンブリー３２の全てが設けられている。二つの通信アセンブリーは、各圧力センサー３１１のデータをモバイルデバイス４に送信し、圧力センサー３１１に対するデータの分析によって、テザーベルト２が締め付けられているかどうか及び締め付けの程度を知ることができ、なお、テザーベルト２の二つの端部２１の圧力センサー３１１のデータを比較することによって、テザーベルト２の受ける力が対称であるか否かを判断することができる。
【００３１】
モバイルデバイス４に表示されたデータに応じて、ユーザーは、テザーベルト２を調整することができ、モバイルデバイス４のディスプレイモジュールを観察することによって、リアルタイムで調整が適所であるかどうかを判定することができる。
【００３２】
なお、テザーベルト２は、一端は固定され、他端は調節可能にテザーベルトの装着溝１０内に取り付けられてもよい。
【００３３】
他の実施例において、テザーベルト２は複数のストラップを備えることができ、この時、シート１の背部には対応して複数のテザーベルトの装着溝１０を有する。
【００３４】
前記実施形態は、ただ本考案の好ましい実施形態であり、これにより本考案の保護範囲を限定してはならず、本考案に基づいて当業者によってなされた任意の非実質的な変化および置換は、本考案が請求された保護範囲内に属する。
【符号の説明】
【００３５】
１  シート
１０  テザーベルトの装着溝
２  テザーベルト
２１  端部
３１  トリガーアセンブリー
３１１  圧力センサー
３１２  トリガー
４  モバイルデバイス
４１  ディスプレイモジュール
【図１】
0003218277.tif 000003
【図２】
0003218277.tif 000004
【図３】
0003218277.tif 000005
【図４】
0003218277.tif 000006
【図５】
0003218277.tif 000007